(57)【要約】【課題】植物の蒸散速度の増加を抑えて、良好な育成環境を提供すること。【解決手段】栽培領域（Ａ）の上方に給気口（１５）及び排気口（１６）を設けた植物栽培施設（１０）の換気構造であって、給気口から施設内に空気を引き込む第１の送風機（２６）と、排気口に向けて施設内から空気を送り出す第２の送風機（２７）と、給気口から排気口に空気を導いて空気の主流を作る主流ガイドと、空気の主流の一部を栽培領域に導いて空気の支流を作る支流ガイドとを備える構成にした。【選択図】図３
2019054766.tif 000002
【特許請求の範囲】
【請求項１】
栽培領域の上方に給気口及び排気口を設けた植物栽培施設の換気構造であって、
前記給気口から施設内に空気を引き込む第１の送風機と、
前記排気口に向けて施設内から空気を送り出す第２の送風機と、
前記給気口から前記排気口に空気を導いて空気の主流を作る主流ガイドと、
前記空気の主流の一部を栽培領域に導いて空気の支流を作る支流ガイドとを備えたことを特徴とする換気構造。
【請求項２】
施設上面には、一方の施設側面側に前記給気口が形成されると共に他方の施設側面側に前記排気口が形成されており、
前記主流ガイドが、前記一方の施設側面及び前記他方の施設側面に対して間隔を空けて施設内を上部空間と下部空間に仕切る第１の仕切材と、前記施設上面から前記第１の仕切材まで延びて前記上部空間を前記給気口側と前記排気口側に仕切る第２の仕切材と、前記一方の施設側面と前記第１の仕切材の間からの空気の吹き出し方向を前記他方の施設側面に向ける第３の仕切材とを有することを特徴とする請求項１に記載の換気構造。
【請求項３】
前記上部空間の前記給気口側に前記第１の送風機が設置され、前記上部空間の前記排気口側に前記第２の送風機が設置されたことを特徴とする請求項２に記載の換気構造。
【請求項４】
前記第１の仕切材として開閉式の遮光カーテンが用いられたことを特徴とする請求項２及び請求項３に記載の換気構造。
【請求項５】
前記第１の仕切材として透光性パネル上に前記開閉式の遮光カーテンが設けられたことを特徴とする請求項４に記載の換気構造。
【請求項６】
前記第２の仕切材、前記第３の仕切材、前記支流ガイドが透光性パネルで形成されたことを特徴とする請求項２から請求項５のいずれかに記載の換気構造。
【請求項７】
前記支流ガイドが、前記第１の仕切材に沿った空気の主流の上流から下流に向かうにつれて前記第１の仕切材から離間するように傾斜した傾斜板であることを特徴とする請求項２から請求項６のいずれかに記載の換気構造。
【請求項８】
前記施設上面には一対の天窓が設けられており、
一方の天窓の窓穴が前記給気口として機能し、他方の天窓の窓穴が前記排気口として機能することを特徴とする請求項２から請求項７のいずれかに記載の換気構造。
【請求項９】
請求項１から請求項８のいずれかに記載の換気構造を備えたことを特徴とする植物栽培施設。
【発明の詳細な説明】
【技術分野】
【０００１】
本発明は、施設内に外気を取り込んで空調する換気構造、植物栽培施設に関する。
【背景技術】
【０００２】
一般に植物栽培施設は、施設内の熱気や湿気を入れ換えるために、積極的に外気を取り込むことで空調している。例えば、植物栽培施設の換気構造として、施設内を屋根側の上部室と培地側の下部室に仕切り、送風機によって細霧冷房を通過した空気を上部室内で奥行方向に流すようにしたものが提案されている（例えば、特許文献１参照）。この植物栽培施設では、上部室が冷却されることで、上部室の温度上昇で下部室が暖められ難くなっている。また、下部室の側面が外部に開放されており、下部室から上部室に向かう空気の流れが作り出されて、上部室で暖まった空気が培地側に流入することがない。
【先行技術文献】
【特許文献】
【０００３】
【特許文献１】特開２０１４−１９８０３５号公報
【発明の概要】
【発明が解決しようとする課題】
【０００４】
しかしながら、特許文献１に記載の植物栽培施設では、下部室の側面が外部に開放されているため、下部室に外気を取り入れることができるものの、下部室に流入した外気が植物に強く当たって水分蒸散等に悪影響を及ぼすという問題があった。
【０００５】
本発明はかかる点に鑑みてなされたものであり、植物の蒸散速度の増加を抑えて、良好な育成環境を提供することができる換気構造、植物栽培施設を提供することを目的の１つとする。
【課題を解決するための手段】
【０００６】
本発明の換気構造は、栽培領域の上方に給気口及び排気口を設けた植物栽培施設の換気構造であって、前記給気口から施設内に空気を引き込む第１の送風機と、前記排気口に向けて施設内から空気を送り出す第２の送風機と、前記給気口から前記排気口に空気を導いて空気の主流を作る主流ガイドと、前記空気の主流の一部を栽培領域に導いて空気の支流を作る支流ガイドとを備えたことを特徴とする。
【発明の効果】
【０００７】
本発明によれば、第１の送風機によって給気口から空気が引き込まれ、第２の送風機によって排気口に空気が送り出されることで、主流ガイドによって施設内に給気口から排気口に向かう空気の主流が作られる。また、支流ガイドによって空気の主流から空気の支流が分岐されて栽培領域まで降りる微風が作られる。よって、栽培領域の上方で空気の主流で熱気や湿気等の入れ替えが実施されると共に、空気の主流から派生する微風によって栽培領域付近で余熱の排出や蒸散が適度に促進される。
【図面の簡単な説明】
【０００８】
【図１】本実施の形態の換気構造を備えた植物栽培施設の斜視図である。
【図２】比較例の植物栽培施設の給気及び排気を示す模式図である。
【図３】図１に示す植物栽培施設の断面模式図である。
【図４】植物栽培施設内の空気の流れを示す気流状態図である。
【発明を実施するための形態】
【０００９】
以下、本実施の形態の換気構造を備えた植物栽培施設について説明する。図１は、第１の実施の形態の換気構造を備えた植物栽培施設の斜視図である。図２は、比較例の植物栽培施設の給気及び排気を示す模式図である。
【００１０】
図１に示すように、植物栽培施設１０は、フレームに透光性の被覆材を取り付けて温室を形成している。植物栽培施設１０の内側には一方向（Ｘ方向）に長い栽培領域Ａが設けられており、栽培領域Ａには複数列（本実施の形態では３列）の栽培ベッド１７が設置されている。栽培ベッド１７は、床面１３（図３参照）よりも高い位置に設けられているため、日射加熱による温度上昇が抑えられると共に高設栽培によって栽培作業の負担が軽減されている。また、植物栽培施設１０の屋根（施設上面）１１は三角形状に形成されており、屋根１１には頂部を支点に開閉可能な一対の天窓１４ａ、１４ｂが設置されている。
【００１１】
ところで、図２に示す一般的な植物栽培施設５０の内部は、遮光カーテン５５によって屋根裏の上部空間５２と栽培ベッド５１が設置された下部空間５３に分かれている。このような植物栽培施設５０では、一対の天窓５４ａ、５４ｂを開放することによって熱気や湿気が入れ換わるが、遮光カーテン５５によって空気の流れが仕切られる上、上部空間５２で給気と排気が混じってスムーズに換気できない。よって、下部空間５３で空気の流れがなく、栽培ベッド５１付近の排熱や水分蒸散が十分に実施されていない。下部空間５３に空気の流れを作り出すことも考えられるが、植物に気流が強く当たると水分蒸散が過度に進んで植物の育成が阻害される。
【００１２】
そこで、本実施の形態の換気構造は、植物栽培施設１０内に勢いよく空気を取り込んで、栽培領域Ａの上方を通過する空気の流れを形成し、この空気の流れの一部を分岐させて栽培領域Ａの栽培ベッド１７に降りる微風を形成している。この微風によって栽培ベッド１７付近から余熱や余剰水蒸気が取り除かれ、栽培ベッド１７の上方で再び空気の流れに乗って施設外に排出される。これにより、施設内を通過する空気の流れによって換気を促すと共に、空気の流れから派生した微風によって、植物の蒸散速度の増加を抑えて良好な育成環境を提供している。
【００１３】
以下、図３を参照して、本実施の形態の換気構造について説明する。図３は、図１に示す植物栽培施設の断面模式図である。なお、図３は図１に示す植物栽培施設のＹＺ平面に沿う側断面模式図であり、遮光カーテンを閉じた状態を示している。
【００１４】
図３に示すように、植物栽培施設１０には、栽培領域Ａの四方を囲む側壁１２の上方に三角形状の屋根（施設上面）１１が設けられている。屋根１１の斜面１１ａ、１１ｂは、頂点から一対の側壁（施設側面）１２ａ、１２ｂ側に向かって傾斜しており、一方の側壁１２ａ側の斜面１１ａには天窓１４ａが設置され、他方の側壁１２ｂ側の斜面１１ｂには天窓１４ｂが設置されている。一方の天窓１４ａの窓穴は給気口１５として機能し、他方の天窓１４ｂの窓穴は排気口１６として機能している。給気口１５及び排気口１６は栽培領域Ａに沿って紙面奥行方向に広く形成されているため、給気口１５及び排気口１６での気流の圧力損失が抑えられている。
【００１５】
植物栽培施設１０の内部には、一対の側壁１２ａ、１２ｂに対して間隔を空けて、施設内を上部空間１８と下部空間１９に仕切る第１の仕切材２１が設けられている。第１の仕切材２１としては開閉式の遮光カーテン２２が用いられており、遮光カーテン２２を閉じることで、両端を除いて上部空間１８と下部空間１９の空気の出入りが妨げられる。上部空間１８には、屋根１１の頂点から遮光カーテン２２まで延びて、上部空間１８を給気口１５側と排気口１６側に仕切る板状の第２の仕切材２３が設けられている。第２の仕切材２３によって上部空間１８で給気口１５から排気口１６に直接向かうショートカットが防止される。
【００１６】
上部空間１８の給気口１５側には第１の送風機２６が設置され、上部空間１８の排気口１６側には第２の送風機２７が設置されている。第１の送風機２６によって給気口１５から施設内に空気が引き込まれ、第２の送風機２７によって排気口１６に向けて施設内から空気が送り出されている。第１の送風機２６は側壁１２ａと遮光カーテン２２の間に向けて空気を送風し、第２の送風機２７は側壁１２ｂと遮光カーテン２２の間から空気を引き込んでいる。このため、側壁１２ａと遮光カーテン２２の間は下部空間１９への空気の吹き出し口２８になり、側壁１２ｂと遮光カーテン２２の間が上部空間１８への空気の引き込み口２９になっている。
【００１７】
側壁１２ａには、側壁１２ａと遮光カーテン２２の間、すなわち吹き出し口２８からの空気の吹き出し方向を側壁１２ａ側から側壁１２ｂ側に向ける板状の第３の仕切材２４が設けられている。第３の仕切材２４は、吹き出し口２８に対向しており、側壁１２ａと共に吹き出し口２８から吹き出された空気の向きを側壁１２ｂに向けるガイド面を形成している。これにより、側壁１２ａ側から側壁１２ｂ側に向かって、遮光カーテン２２の下面に沿った空気の流れが形成される。また、第１、第２の送風機２６、２７の吹き出し側と引き込み側が遮光カーテン２２に仕切られているため、第１、第２の送風機２６、２７の自己循環が防止されている。
【００１８】
このように、第１の送風機２６によって給気口１５から空気が引き込まれ、遮光カーテン２２、第２の仕切材２３、第３の仕切材２４によって空気の流れがガイドされ、第２の送風機２７によって排気口１６に空気が送り出されることで空気の主流３１が形成される。本実施の形態では、遮光カーテン２２、第２の仕切材２３、第３の仕切材２４によって、給気口１５から排気口１６に空気を導いて空気の主流３１を作る主流ガイドが構成されている。栽培領域Ａの上方に空気の主流３１が作られているため、栽培ベッド１７を空気の主流３１が通過することなく、植物の水分蒸散に悪影響を及ぼすことがない。
【００１９】
また、遮光カーテン２２の下方には、空気の主流３１の一部を分岐させる傾斜板２５が設けられている。傾斜板２５の上端は遮光カーテン２２の下面から離間しており、空気の主流３１の一部が傾斜板２５の上端で部分的に遮られている。傾斜板２５は、遮光カーテン２２に沿った空気の主流３１に対して上流から下流に向うにつれて、遮光カーテン２２から離れるように傾斜している。これにより、空気の主流３１の一部が傾斜板２５の上端で分岐され、傾斜板２５の斜面に沿って流れることで空気の支流３２ａが形成される。傾斜板２５が空気の主流３１を殺さないように傾斜することで、空気の主流３１に対する傾斜板２５の抵抗が軽減されている。
【００２０】
傾斜板２５を通過した空気の主流３１が側壁１２ｂに衝突して、空気の主流３１の大部分が第２の送風機２７によって引き込み口２９から引き込まれる。このとき、空気の主流３１の一部が、引き込み口２９に引き込まれずに、側壁１２ｂに沿って下方に流れることで空気の支流３２ｂが形成される。本実施の形態では、傾斜板２５及び側壁１２ｂによって、空気の主流３１の一部を栽培領域Ａに導いて空気の支流３２ａ、３２ｂを作る支流ガイドが構成されている。これら空気の支流３２ａ、３２ｂによって栽培領域Ａに微風が供給されて、栽培ベッド１７付近の余熱の排出や水分蒸散が適度に実施される。
【００２１】
なお、第２の仕切材２３、第３の仕切材２４、傾斜板２５は、例えば、透光性パネルによって形成されている。第２の仕切材２３、第３の仕切材２４、傾斜板２５が透光性を有することで、遮光カーテン２２を開いて施設内に十分な日照を取り込むことができる。また、本実施の形態では、第１の仕切材２１として遮光カーテン２２を例示したが、第１の仕切材が透光性パネル上に遮光カーテンを設けて構成されてもよい。これにより、遮光カーテンを開いた場合であっても、第１、第２の送風機２６、２７の自己循環が防止されて空気の主流３１を作り出すことができる。
【００２２】
続いて、図４を参照して、植物栽培施設内の空気の流れについて説明する。図４は、植物栽培施設内の空気の流れを示す気流状態図である。なお、図４Ａは本実施の形態の施設内の空気の流れを示し、図４Ｂは遮光カーテンによる仕切を除いた施設内の空気の流れを示している。
【００２３】
図４Ａに示すように、本実施の形態の植物栽培施設１０は、給気口１５と排気口１６の間が第２の仕切材２３で仕切られており、上部空間１８と下部空間１９の間が両端を除いて遮光カーテン２２で仕切られている。この状態で、第１、第２の送風機２６、２７が駆動されると、第１の送風機２６によって給気口１５から空気が引き込まれ、第２の送風機２７によって排気口１６に空気が送り出されて栽培領域Ａの上方に空気の主流３１が作り出される。給気口１５側では、給気口１５から第２の仕切材２３に沿って下方に向った後、遮光カーテン２２の上面に沿って側壁１２ａ側に向かう空気の流れが発生する。
【００２４】
遮光カーテン２２の一端２２ａと側壁１２ａの間は第１の送風機２６の吹き出し口２８になっており、この吹き出し口２８に間隔を空けて対向するように側壁１２ａに第３の仕切材２４が設けられている。吹き出し口２８から空気が吹き出すと、側壁１２ａ及び第３の仕切材２４によって空気の流れがガイドされて、側壁１２ａ側から側壁１２ｂ側に向かうように空気の流れが曲げられる。第３の仕切材２４が遮光カーテン２２と平行に延びているため、吹き出し口２８から吹き出した空気の流れが遮光カーテン２２の下面に沿って流れる。よって、空気の主流３１が栽培領域Ａの上方を通過して、勢いのある風が栽培ベッド１７に向かうことがない。
【００２５】
側壁１２ａと側壁１２ｂの間には、遮光カーテン２２から下方に離間して傾斜板２５が設けられている。空気の主流３１が傾斜板２５を通過する際に、空気の主流３１の一部が傾斜板２５に沿って下方に流れることで空気の支流３２ａが形成される。また、側壁１２ｂにおいて空気の主流３１の一部が側壁１２ｂに沿って下方に流れることで空気の支流３２ｂが形成される。これら空気の主流３１から派生した支流３２ａ、３２ｂが、栽培領域Ａの栽培ベッド１７に微風として供給される。栽培ベッド１７が微風に晒されることで、栽培ベッド１７付近が適度に温湿度調整されて、植物に良好な栽培環境が整えられている。
【００２６】
遮光カーテン２２の他端２２ｂと側壁１２ｂの間は第２の送風機２７の引き込み口２９になっており、側壁１２ｂに衝突した空気の主流３１の大部分は引き込み口２９から上部空間１８に引き込まれる。そして、排気口１６側では、引き込み口２９から屋根１１の斜面１１ｂの内側を沿って排気口１６に向かう空気の流れが発生する。このように、植物栽培施設１０には給気口１５から遮光カーテン２２の下面に沿って排気口１６に向かう空気の主流３１が形成され、空気の主流３１から派生して栽培ベッド１７に向かう空気の支流３２ａ、３２ｂが形成される。また、空気の支流３２ａ、３２ｂによって栽培ベッド１７周辺で微風が循環される。
【００２７】
一方、図４Ｂは、植物栽培施設１０から本実施の形態の第１の仕切材２１、すなわち遮光カーテン２２（図４Ａ参照）を取り去った状態、又は遮光カーテン２２を開いた状態を示している。この状態で、第１、第２の送風機２６、２７が駆動されると、第１、第２の送風機２６、２７によって自己循環される。第１の送風機２６によって第３の仕切材２４の上方で小規模な循環流４１が形成され、第２の送風機２７によって第２の仕切材２３よりも排気口１６側に大規模な循環流４２が形成される。大規模な循環流４２が一部の栽培ベッド１７の上部を掠めており、勢いがある風に一部の栽培ベッド１７が晒されている。
【００２８】
このように、植物栽培施設１０には、給気口１５から排気口１６に向かう空気の流れが形成されず、第１、第２の送風機２６、２７によって個々に空気が自己循環している。第１の送風機２６による循環流４１が栽培ベッド１７を掠めることはないが、第２の送風機２７による循環流４２が栽培ベッド１７を掠めており、各栽培ベッド１７に対して一様な空気の流れが出来ていない。大規模な循環流４２に晒された一部の栽培ベッド１７だけ風が勢いよく当たり続けているため、栽培ベッド１７の場所に応じて植物の育成状態にバラツキが生じている。
【００２９】
以上のように、本実施の形態の換気構造では、第１の送風機２６で給気口１５から空気が引き込まれ、第２の送風機２７で排気口１６に空気が送り出されることで、遮光カーテン２２、第２の仕切材２３、第３の仕切材２４によって給気口１５から排気口１６に向かう空気の主流３１が作られる。傾斜板２５及び側壁１２ｂによって空気の主流３１から空気の支流３２ａ、３２ｂが分岐されて、栽培領域Ａまで降りる微風が作られる。よって、栽培領域Ａの上方で空気の主流３１で熱気や湿気等の入れ替えが実施されると共に、空気の主流３１から派生する微風によって栽培領域Ａ付近で余熱の排出や蒸散が適度に促進される。
【００３０】
なお、本実施の形態では、主流ガイドとして遮光カーテン、第２の仕切材、第３の仕切材を例示して説明したが、この構成に限定されない。主流ガイドは、給気口から排気口に空気を導いて空気の主流を作るものであればよく、施設内にどのように形成されていてもよい。
【００３１】
また、本実施の形態では、第１の仕切材として遮光カーテンを例示したが、この構成に限定されない。第１の仕切材は、一対の側壁（施設側面）に対して間隔を空けて、施設内を上部空間と下部空間に仕切るものであればよく、材質、形状、個数は特に限定されない。例えば、第１の仕切材は遮光性の材質で形成されてもよい。
【００３２】
また、本実施の形態では、第２の仕切材として透光性パネルを例示したが、この構成に限定されない。第２の仕切材は、屋根から第１の仕切材まで延びて上部空間を給気口側と排気口側に仕切るものであればよく、材質、形状、個数は特に限定されない。例えば、第２の仕切材は遮光性の材質で形成されてもよい。
【００３３】
また、本実施の形態では、第３の仕切材として透光性パネルを例示したが、この構成に限定されない。第３の仕切材は、一方の側壁と第１の仕切材の間からの空気の吹き出し口方向を他方の側壁側に向けるものであればよく、材質、形状、個数は特に限定されない。例えば、第３の仕切材は遮光性の材質で形成されてもよい。
【００３４】
また、本実施の形態では、支流ガイドとして傾斜板を例示して説明したが、この構成に限定されない。支流ガイドは、空気の主流の一部を栽培領域に導いて空気の支流を作るものであればよく、材質、形状、個数は特に限定されない。例えば、支流ガイドは遮光性の材質で形成されてもよい。また、支流ガイドは、空気の主流の一部を栽培領域に導くことができれば、空気の主流（第１の仕切材）に対して必ずしも傾斜している必要はなく、空気の主流に対して直交していてもよい。
【００３５】
また、本実施の形態では、第１、第２の送風機を駆動させて施設内に空気の主流を形成したが、施設内に空気の主流が形成された後は、第１、第２の送風機のいずれかを停止させてもよい。
【００３６】
また、本実施の形態では、植物栽培施設に換気構造を適用した構成について説明したが、植物栽培施設は植物を栽培可能な施設であれば特に限定されない。例えば、高度な環境制御が必要な植物工場に本実施の形態の換気構造を適用してもよいし、植物工場ほどの高度な環境制御が不要な施設園芸用の施設に本実施の形態の換気構造を適用してもよい。また、植物工場としては、完全人工光型植物工場、太陽光利用型植物工場、太陽光・人工光併用型植物工場のいずれの施設でもよい。
【００３７】
また、本実施の形態では、植物栽培施設の施設上面が三角形状の屋根で構成されたが、この構成に限定されない。植物栽培施設の施設上面は、アーチ状の屋根で構成されてもよいし、フラットな屋根で構成されてもよい。
【００３８】
また、本実施の形態では、栽培領域の栽培ベッドに培地が設けられたが、この構成に限定されない。栽培領域の床面に培地が設けられていてもよい。
【００３９】
また、本発明の実施の形態及び変形例を説明したが、本発明の他の実施の形態として、上記実施の形態及び変形例を全体的又は部分的に組み合わせたものでもよい。
【００４０】
また、本発明の実施の形態は上記の実施の形態及び変形例に限定されるものではなく、本発明の技術的思想の趣旨を逸脱しない範囲において様々に変更、置換、変形されてもよい。さらに、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施態様をカバーしている。
【００４１】
また、本発明の実施の形態では、本発明を植物栽培施設の換気構造に適用した構成について説明したが、空気の主流から派生した微風で空調される他の施設に適用することも可能である。
【００４２】
下記に、上記の実施の形態における特徴点を整理する。
上記実施の形態に記載の換気構造は、栽培領域の上方に給気口及び排気口を設けた植物栽培施設の換気構造であって、前記給気口から施設内に空気を引き込む第１の送風機と、前記排気口に向けて施設内から空気を送り出す第２の送風機と、前記給気口から前記排気口に空気を導いて空気の主流を作る主流ガイドと、前記空気の主流の一部を栽培領域に導いて空気の支流を作る支流ガイドとを備えたことを特徴とする。
【００４３】
この構成によれば、第１の送風機によって給気口から空気が引き込まれ、第２の送風機によって排気口に空気が送り出されることで、主流ガイドによって施設内に給気口から排気口に向かう空気の主流が作られる。また、支流ガイドによって空気の主流から空気の支流が分岐されて栽培領域まで降りる微風が作られる。よって、栽培領域の上方で空気の主流で熱気や湿気等の入れ替えが実施されると共に、空気の主流から派生する微風によって栽培領域付近で余熱の排出や蒸散が適度に促進される。
【００４４】
上記実施の形態に記載の換気構造は、施設上面には、一方の施設側面側に前記給気口が形成されると共に他方の施設側面側に前記排気口が形成されており、前記主流ガイドが、前記一方の施設側面及び前記他方の施設側面に対して間隔を空けて施設内を上部空間と下部空間に仕切る第１の仕切材と、前記施設上面から前記第１の仕切材まで延びて前記上部空間を前記給気口側と前記排気口側に仕切る第２の仕切材と、前記一方の施設側面と前記第１の仕切材の間からの空気の吹き出し方向を前記他方の施設側面に向ける第３の仕切材とを有している。この構成によれば、第１−第３の仕切材によって、給気口から排気口に空気を導く空気の主流が形成される。
【００４５】
上記実施の形態に記載の換気構造は、前記上部空間の前記給気口側に前記第１の送風機が設置され、前記上部空間の前記排気口側に前記第２の送風機が設置されている。この構成によれば、第１の送風機によって給気口から上部空間に空気が引き込まれ、第２の送風機によって上部空間から排気口に空気が送り出される。
【００４６】
上記実施の形態に記載の換気構造は、前記第１の仕切材として開閉式の遮光カーテンが用いられている。この構成によれば、日射による施設内の温度上昇を抑える際に遮光カーテンを閉めることで床面の日射加熱を抑えることができ、施設内に空気の流れを作り出すことができる。
【００４７】
上記実施の形態に記載の換気構造は、前記第１の仕切材として透光性パネル上に前記開閉式の遮光カーテンが設けられている。この構成によれば、遮光カーテンを開いた場合であっても、第１、第２の送風機の自己循環が防止されて空気の主流を作り出すことができる。
【００４８】
上記実施の形態に記載の換気構造は、前記第２の仕切材、前記第３の仕切材、前記支流ガイドが透光性パネルで形成されている。この構成によれば、施設内に十分な日射を取り込むことができる。
【００４９】
上記実施の形態に記載の換気構造は、前記支流ガイドが、前記第１の仕切材に沿った空気の主流の上流から下流に向かうにつれて前記第１の仕切材から離間するように傾斜した傾斜板である。この構成によれば、傾斜板が空気の主流を殺さないように傾斜することで、空気の主流に対する傾斜板の抵抗が軽減されている。
【００５０】
上記実施の形態に記載の換気構造は、前記施設上面には一対の天窓が設けられており、一方の天窓の窓穴が前記給気口として機能し、他方の天窓の窓穴が前記排気口として機能する。この構成によれば、施設上面の天窓の窓穴を給気口及び排気口として使用することができる。
【００５１】
上記実施の形態に記載の植物栽培施設は、上記の換気構造を備えたことを特徴とする。この構成によれば、植物の蒸散速度の増加を抑えて、植物を良好に育成することができる。
【産業上の利用可能性】
【００５２】
以上説明したように、本発明は、植物の蒸散速度の増加を抑えて、良好な育成環境を提供することができるという効果を有し、特に、植物工場や施設園芸で用いられる換気構造、植物栽培施設に有用である。
【符号の説明】
【００５３】
１０  植物栽培施設
１１  屋根（施設上面）
１２ａ、１２ｂ  側壁（施設側面）
１４ａ、１４ｂ  天窓
１５  給気口
１６  排気口
１８  上部空間
１９  下部空間
２１  第１の仕切材（主流ガイド）
２２  遮光カーテン（主流ガイド）
２３  第２の仕切材（主流ガイド）
２４  第３の仕切材（主流ガイド）
２５  傾斜板（支流ガイド）
２６  第１の送風機
２７  第２の送風機
３１  空気の主流
３２ａ、３２ｂ  空気の支流
Ａ  栽培領域
【図１】
2019054766.tif 000003
【図２】
2019054766.tif 000004
【図３】
2019054766.tif 000005
【図４】
2019054766.tif 000006